(57)【特許請求の範囲】
【請求項１】
シート状の記録媒体に電子写真方式で画像を形成する第１の画像形成手段と、該第１の画像形成手段によって画像が形成された記録媒体にインクジェット方式で画像を形成する第２の画像形成手段とを有する画像形成装置であって、
１枚の記録媒体に単色画像とカラーポイント画像とからなる同一画像を多面配置して画像形成する多面取りモードの指示と、その多面取りの面数情報とが入力されると、画像形成に使用する記録媒体のサイズ情報と前記面数情報とから多面取り画像の裁断用境界線の画像データを自動生成する裁断用境界線画像データ生成手段と、
前記第２の画像形成手段より記録媒体搬送方向の下流側に配置され、記録媒体に形成された画像位置を検出する画像位置検出手段と、
前記多面取りモードの指示と前記面数情報と共にカラーポイント画像位置自動チェックモードの指示が入力された場合に、前記裁断用境界線画像データ生成手段によって生成された裁断用境界線の画像データとカラーポイント画像のデータとに基づいて、前記サイズ情報のサイズの記録媒体に前記第１の画像形成手段によって前記裁断用境界線を、前記第２の画像形成手段によって前記カラーポイント画像をそれぞれ画像形成させた画像位置自動チェック用記録媒体を１枚だけ出力する画像位置自動チェック用画像形成制御手段と、
前記画像位置自動チェック用記録媒体を出力した際に、前記画像位置検出手段によって検出した裁断用境界線の画像位置と前記カラーポイント画像のうちの少なくとも１つの画像位置との位置関係の寸法を、前記裁断用境界線の画像データの位置と前記カラーポイント画像の画像データのうちの前記少なくとも１つに対応する画像データの位置とから算出した位置関係の寸法と比較して、その差によるズレ量を算出するズレ量算出手段と、
該ズレ量算出手段によって算出したズレ量が予め設定された所定量以内の場合には、前記記録媒体と同じサイズの２枚目以降の記録媒体の前記裁断用境界線によって仕切られる各領域に、単色画像と前記カラーポイント画像とからなる同一画像のデータに基づいて、前記第１の画像形成手段によって前記単色画像のみを、前記第２の画像形成手段によって前記カラーポイント画像を、それぞれ多面配置した画像を形成させて出力する多面取り画像形成制御手段と、
前記ズレ量が前記所定量を超える場合には、警告を発する警告手段と
を設けたことを特徴とする画像形成装置。
【請求項２】
前記多面取り画像形成制御手段は、前記警告手段による警告後に、画像形成の指示が入力された場合にも、前記記録媒体と同じサイズの２枚目以降の記録媒体の前記裁断用境界線によって仕切られる各領域に、単色画像と前記カラーポイント画像とからなる同一画像のデータに基づいて、前記第１の画像形成手段によって前記単色画像のみを、前記第２の画像形成手段によって前記カラーポイント画像を、それぞれ多面配置した画像を形成させて出力することを特徴とする請求項１に記載の画像形成装置。
【請求項３】
シート状の記録媒体に電子写真方式で画像を形成する第１の画像形成手段と、該第１の画像形成手段によって画像が形成された記録媒体にインクジェット方式で画像を形成する第２の画像形成手段とを有する画像形成装置であって、
１枚の記録媒体に単色画像とカラーポイント画像とからなる同一画像を多面配置して画像形成する多面取りモードの指示と、その多面取りの面数情報とが入力されると、画像形成に使用する記録媒体のサイズ情報と前記面数情報とから多面取り画像の裁断用境界線の画像データを自動生成する裁断用境界線画像データ生成手段と、
前記第２の画像形成手段より記録媒体搬送方向の下流側に配置され、記録媒体に形成された画像位置を検出する画像位置検出手段と、
前記多面取りモードの指示と前記面数情報と共にカラーポイント画像位置自動チェックモードの指示が入力された場合に、前記裁断用境界線画像データ生成手段によって生成された裁断用境界線の画像データとカラーポイント画像のデータとに基づいて、前記サイズ情報のサイズの記録媒体に前記第１の画像形成手段によって前記裁断用境界線を、前記第２の画像形成手段によって前記カラーポイント画像をそれぞれ画像形成させた画像位置自動チェック用記録媒体を１枚だけ出力する画像位置自動チェック用画像形成制御手段と、
前記画像位置自動チェック用記録媒体を出力した際に、前記画像位置検出手段によって検出した裁断用境界線の画像位置と前記カラーポイント画像のうちの少なくとも１つの画像位置との位置関係の寸法を、前記裁断用境界線の画像データの位置と前記カラーポイント画像の画像データのうちの前記少なくとも１つに対応する画像データの位置とから算出した位置関係の寸法と比較して、その差によるズレ量を算出するズレ量算出手段と、
該ズレ量算出手段によって算出したズレ量が予め設定された所定量以内の場合にはそのまま、該ズレ量が前記所定量を超えた場合には前記第２の画像形成手段による前記カラーポイント画像の形成位置を前記ズレ量に応じて補正して、前記記録媒体と同じサイズの２枚目以降の記録媒体の前記裁断用境界線によって仕切られる各領域に、単色画像と前記カラーポイント画像とからなる同一画像のデータに基づいて、前記第１の画像形成手段によって前記単色画像のみを、前記第２の画像形成手段によって前記カラーポイント画像を、それぞれ多面配置した画像を形成させて出力する多面取り画像形成制御手段と
を設けたことを特徴とする画像形成装置。
【請求項４】
請求項１乃至３のいずれか一項に記載の画像形成装置において、
前記裁断用境界線の画像データの位置と前記カラーポイント画像の画像データのうちの前記少なくとも１つに対応する画像データの位置との位置関係の寸法として、前記裁断用境界線の画像データのうちの前記少なくとも１つのカラーポイント画像の画像データをそれぞれ囲む部分の位置と該少なくとも１つのカラーポイント画像の画像データの位置との位置関係の寸法を算出する位置関係寸法算出手段を設けたことを特徴とする画像形成装置。
【請求項５】
外部装置と通信可能に接続でき、シート状の記録媒体に前記外部装置からの画像データに基づいて電子写真方式で画像を形成する第１の画像形成手段と、該第１の画像形成手段によって画像が形成された記録媒体に前記画像データに基づいてインクジェット方式で画像を形成する第２の画像形成手段とを有する画像形成装置であって、
１枚の記録媒体に単色画像とカラーポイント画像とからなる同一画像を多面配置して画像形成する多面取りモードの指示と、その多面取りの面数情報と共に、単色画像の画像データとカラーポイント画像の画像データとからなる同一画像の画像データを多面配置した多面取りの画像データを前記外部装置から受信する受信手段と、
該受信手段によって前記多面取りモードの指示と前記面数情報と共に前記多面取りの画像データを受信したときに、その受信した面数情報と画像形成に使用する記録媒体のサイズ情報とから多面取り画像の裁断用境界線の画像データを自動生成する裁断用境界線画像データ生成手段と、
前記第２の画像形成手段より記録媒体搬送方向の下流側に配置され、記録媒体に形成された画像位置を検出する画像位置検出手段と、
カラーポイント画像位置自動チェックモードの指示を入力するカラーポイント画像位置自動チェックモード指示入力手段と、
該カラーポイント画像位置自動チェックモード指示入力手段によって前記カラーポイント画像位置自動チェックモードの指示が入力された場合に、前記裁断用境界線画像データ生成手段によって生成された裁断用境界線の画像データと前記多面取りの画像データ中のカラーポイント画像の画像データとに基づいて、前記サイズ情報のサイズの記録媒体に前記第１の画像形成手段によって前記裁断用境界線を、前記第２の画像形成手段によって前記カラーポイント画像をそれぞれ画像形成させた画像位置自動チェック用記録媒体を１枚だけ出力する画像位置自動チェック用画像形成制御手段と、
前記画像位置自動チェック用記録媒体を出力した際に、前記画像位置検出手段によって検出した裁断用境界線の画像位置と前記カラーポイント画像のうちの少なくとも１つの画像位置との位置関係の寸法を、前記裁断用境界線の画像データの位置と前記カラーポイント画像の画像データのうちの前記少なくとも１つに対応する画像データの位置とから算出した位置関係の寸法と比較して、その差によるズレ量を算出するズレ量算出手段と、
該ズレ量算出手段によって算出したズレ量が予め設定された所定量以内の場合には、前記記録媒体と同じサイズの２枚目以降の記録媒体の前記裁断用境界線によって仕切られる各領域に、前記多面取りの画像データに基づいて、前記第１の画像形成手段によって前記単色画像のみを、前記第２の画像形成手段によって前記カラーポイント画像を、それぞれ多面配置した画像を形成させて出力する多面取り画像形成制御手段と、
前記ズレ量が前記所定量を超える場合には、警告を発する警告手段と
を設けたことを特徴とする画像形成装置。
【請求項６】
前記多面取り画像形成制御手段は、前記警告手段による警告後に、画像形成の指示が入力された場合にも、前記記録媒体と同じサイズの２枚目以降の記録媒体の前記裁断用境界線によって仕切られる各領域に、前記多面取りの画像データに基づいて、前記第１の画像形成手段によって前記単色画像のみを、前記第２の画像形成手段によって前記カラーポイント画像を、それぞれ多面配置した画像を形成させて出力することを特徴とする請求項５に記載の画像形成装置。
【請求項７】
外部装置と通信可能に接続でき、シート状の記録媒体に前記外部装置からの画像データに基づいて電子写真方式で画像を形成する第１の画像形成手段と、該第１の画像形成手段によって画像が形成された記録媒体に前記画像データに基づいてインクジェット方式で画像を形成する第２の画像形成手段とを有する画像形成装置であって、
１枚の記録媒体に単色画像とカラーポイント画像とからなる同一画像を多面配置して画像形成する多面取りモードの指示と、その多面取りの面数情報と共に、単色画像の画像データとカラーポイント画像の画像データとからなる同一画像の画像データを多面配置した多面取りの画像データを前記外部装置から受信する受信手段と、
該受信手段によって前記多面取りモードの指示と前記面数情報と共に前記多面取りの画像データを受信したときに、その受信した面数情報と画像形成に使用する記録媒体のサイズ情報とから多面取り画像の裁断用境界線の画像データを自動生成する裁断用境界線画像データ生成手段と、
前記第２の画像形成手段より記録媒体搬送方向の下流側に配置され、記録媒体に形成された画像位置を検出する画像位置検出手段と、
カラーポイント画像位置自動チェックモードの指示を入力するカラーポイント画像位置自動チェックモード指示入力手段と、
該カラーポイント画像位置自動チェックモード指示入力手段によって前記カラーポイント画像位置自動チェックモードの指示が入力された場合に、前記裁断用境界線画像データ生成手段によって生成された裁断用境界線の画像データと前記多面取りの画像データ中のカラーポイント画像の画像データとに基づいて、前記サイズ情報のサイズの記録媒体に前記第１の画像形成手段によって前記裁断用境界線を、前記第２の画像形成手段によって前記カラーポイント画像をそれぞれ画像形成させた画像位置自動チェック用記録媒体を１枚だけ出力する画像位置自動チェック用画像形成制御手段と、
前記画像位置自動チェック用記録媒体を出力した際に、前記画像位置検出手段によって検出した裁断用境界線の画像位置と前記カラーポイント画像のうちの少なくとも１つの画像位置との位置関係の寸法を、前記裁断用境界線の画像データの位置と前記カラーポイント画像の画像データのうちの前記少なくとも１つに対応する画像データの位置とから算出した位置関係の寸法と比較して、その差によるズレ量を算出するズレ量算出手段と、
該ズレ量算出手段によって算出したズレ量が予め設定された所定量以内の場合にはそのまま、該ズレ量が前記所定量を超えた場合には前記第２の画像形成手段による前記カラーポイント画像の形成位置を前記ズレ量に応じて補正して、前記記録媒体と同じサイズの２枚目以降の記録媒体の前記裁断用境界線によって仕切られる各領域に、前記多面取りの画像データに基づいて、前記第１の画像形成手段によって前記単色画像のみを、前記第２の画像形成手段によって前記カラーポイント画像を、それぞれ多面配置した画像を形成させて出力する多面取り画像形成制御手段と
を設けたことを特徴とする画像形成装置。
【請求項８】
請求項５乃至７のいずれか一項に記載の画像形成装置において、
前記裁断用境界線の画像データの位置と前記カラーポイント画像の画像データのうちの前記少なくとも１つに対応する画像データの位置との位置関係の寸法として、前記裁断用境界線の画像データのうちの前記少なくとも１つのカラーポイント画像の画像データをそれぞれ囲む部分の位置と該少なくとも１つのカラーポイント画像の画像データの位置との位置関係の寸法を算出する位置関係寸法算出手段を設けたことを特徴とする画像形成装置。
【発明の詳細な説明】
【技術分野】
【０００１】
この発明は、種類が異なる２つの画像形成手段を有する画像形成装置に関する。
【背景技術】
【０００２】
画像形成装置として、以下の第１の画像形成手段（以下「電子写真画像形成手段」ともいう）と第２の画像形成手段（以下「インクジェット画像形成手段」ともいう）とを有する複合型画像形成装置（以下「ハイブリッド印刷装置」ともいう）がある。
電子写真画像形成手段は、シート状の記録媒体である用紙に電子写真方式で画像を形成（「印刷」又は「プリント」ともいう）する。
インクジェット画像形成手段は、電子写真画像形成手段によって画像が形成された用紙にインクジェット方式で画像を形成する。
【０００３】
このようなハイブリッド印刷装置では、単色画像とカラーポイント画像とからなる同一画像を多面配置して画像形成する多面取りモードの機能を実現できる。
ところで、同一画像の印刷物である名刺やチケット、配布カードなどは、サイズが小さいので、多面配置された状態で用紙に印刷して、印刷後に所定サイズに断裁して使用されることが多い。
例えば、名刺の場合、氏名、住所、電話番号、メールアドレスなどの本人情報は黒色（単色）の画像として、コーポレートマークなどは企業独自のオリジナル色（カラー色）の画像としてそれぞれ印刷することが求められる。
【０００４】
このような名刺印刷には、インクジェット画像形成手段であるカラーインクジェットプリンタが使われることがある。しかし、黒文字の本人情報部では文字サイズがかなり小さいために、インクジェットインクによる印刷では通常の用紙であれば小さい文字部がにじんで不鮮明になり、判読困難になるという不具合がある。
その点で電子写真コピー機やレーザプリンタは、通常の用紙でも黒文字部が鮮明に印刷されるので、本人情報部は安価な電子写真画像形成手段である単色モノクロ電子写真プリンタで印刷し、カラーコーポレートマーク部分をカラーインクジェットプリンタで印刷することが考えられる。
単色モノクロ電子写真プリンタにおいて、その排紙口にカラーマーク印字用のインクジェット装置の給紙口を装着したマシンが便利である。
【０００５】
特許文献１には、電子写真画像形成手段に相当する第１画像形成ユニットとインクジェット画像形成手段に相当する第２画像形成ユニットとを有するハイブリッド型プリンタにおいて、後流にある第２画像形成ユニットでは記録媒体である記録シートの先端部の位置をＣＣＤセンサで検出してインクジェット画像の位置が適正になるように制御する構成について開示されている。
特許文献２〜４には、電子写真画像形成手段に相当する孔版印刷部とインクジェット画像形成手段に相当するインクジェット印刷部とを有する複合型画像形成装置が開示されており、特に特許文献２には以下の（１）〜（３）に示すような多面取りモードによる印刷（集約印刷）に関する点が開示されている。
【０００６】
（１）移動機構３６によりインクジェット印刷画像の用紙幅方向位置が調整可能であること、用紙搬送方向における位置調整はインクジェットヘッドの作動タイミングによって行われることが示されている。
（２）操作パネル上でインクジェット印刷画像の用紙に対する位置を移動させる場合に操作するキーと入力方法について示されている。その入力方法では、数値で移動量を入力できる。
（３）試し刷りされた印刷物をオペレータが目視で確認して、その結果から画像位置を調整するということが示されている。
【発明の概要】
【発明が解決しようとする課題】
【０００７】
上述したような単色モノクロ電子写真プリンタにおいては、印刷用紙に対する画像位置をほぼ十分な高い精度で位置決めプリントすることが可能である。
しかしながら、その単色モノクロ電子写真プリンタの排紙口に給紙口が装着されたカラーインクジェットプリンタによる印刷画像の場合には、どうしてもその印刷画像位置精度の信頼性が低くなってしまう。つまり、画像位置ズレが発生しやすい。
【０００８】
これは、装置の装着位置バラツキの問題もあるが、本来は単一の画像データを２分割して、一方は単色モノクロ電子写真プリンタに送り、他方はカラーインクジェットプリンタに送るため、両者の基本位置設定が異なることが考えられるためでもある。また、カラーインクジェットプリンタのインク吐出タイミングの設定もマシンに合わせる必要があるためである。
特に、多面取りモードによる画像（多面取り集約画像）の場合には、それぞれの分割配置された画像が分割枠線に対して正しい位置に印刷されているかどうかがわかりにくいので問題になりやすい。
【０００９】
特許文献２の図８には、４面分割された画像の場合が示されており、断裁時の切断枠線が記載されているが、実際にはこのような枠線が印刷されていると、断裁位置ズレによって名刺の端部に枠線が残ってしまうという問題があるため、枠線なしで印刷出力することになる。すると、ますますカラーポイント画像の位置ズレが把握しにくくなってしまうという問題がある。
特許文献２に記載のように、試し刷り印刷物を目視確認して画像位置の調整をすることは、狙いの位置がよくわかっていないと面倒で難しく、画像を移動させる方向を間違いやすかったり、移動量の数値入力のためには計測が必要であるため面倒で、移動量数値入力を間違いやすいといった問題もある。
【００１０】
特許文献１に記載のものでも、特許文献２に記載のものでも、用紙端部を基準にして画像位置を合わせるという考えになっているが、多面取りモードによる印刷（集約印刷）を行う場合には、１枚の用紙にいくつものカラーマークがあるので、端面からそれぞれの位置情報を見ることになる。それよりも切断枠線に対してカラーマークの位置を合わせるという考え方のほうが適切でシンプルである。
特許文献２に記載のものでは、試し刷り印刷物を目視確認することが必須であるが、インクジェット画像位置がある程度許容される範囲内にある場合には、自動的に連続して多数枚印刷してくれることが望ましい。
【００１１】
この発明は、上記の点に鑑みてなされたものであり、第１の画像形成手段（電子写真画像形成手段）と第２の画像形成手段（インクジェット画像形成手段）とを有する画像形成装置において、１枚の記録媒体に単色画像とカラーポイント画像とからなる同一画像を多面配置して画像形成する多面取りモードによる画像形成を実行する場合でも、最適な画像を得られるようにすることを目的とする。
【課題を解決するための手段】
【００１２】
この発明は、シート状の記録媒体に電子写真方式で画像を形成する第１の画像形成手段と、その第１の画像形成手段によって画像が形成された記録媒体にインクジェット方式で画像を形成する第２の画像形成手段とを有する画像形成装置であって、上記の目的を達成するため、請求項１の発明では以下の（ａ）〜（ｆ）に示す各手段を設けたものである。
（ａ）１枚の記録媒体に単色画像とカラーポイント画像とからなる同一画像を多面配置して画像形成する多面取りモードの指示と、その多面取りの面数情報とが入力されると、画像形成に使用する記録媒体のサイズ情報と上記面数情報とから多面取り画像の裁断用境界線の画像データを自動生成する裁断用境界線画像データ生成手段
（ｂ）上記第２の画像形成手段より記録媒体搬送方向の下流側に配置され、記録媒体に形成された画像位置を検出する画像位置検出手段
【００１３】
（ｃ）上記多面取りモードの指示と上記面数情報と共にカラーポイント画像位置確認モードの指示が入力された場合に、上記裁断用境界線画像データ生成手段によって生成された裁断用境界線の画像データとカラーポイント画像のデータとに基づいて、上記サイズ情報のサイズの記録媒体に上記第１の画像形成手段によって上記裁断用境界線を、上記第２の画像形成手段によって上記カラーポイント画像をそれぞれ画像形成させた画像位置自動チェック用記録媒体を１枚だけ出力する画像位置自動チェック用画像形成制御手段
【００１４】
（ｄ）上記画像位置自動チェック用記録媒体を出力した際に、上記画像位置検出手段によって検出した裁断用境界線の画像位置と上記カラーポイント画像のうちの少なくとも１つの画像位置との位置関係の寸法を、上記裁断用境界線の画像データの位置と前記カラーポイント画像の画像データのうちの上記少なくとも１つに対応する画像データの位置とから算出した位置関係の寸法と比較して、その差によるズレ量を算出するズレ量算出手段
（ｅ）該ズレ量算出手段によって算出したズレ量が予め設定された所定量以内の場合には、上記記録媒体と同じサイズの２枚目以降の記録媒体の上記裁断用境界線によって仕切られる各領域に、単色画像と上記カラーポイント画像とからなる同一画像のデータに基づいて、上記第１の画像形成手段によって上記単色画像のみを、上記第２の画像形成手段によって上記カラーポイント画像を、それぞれ多面配置した画像を形成させて出力する多面取り画像形成制御手段
（ｆ）上記ズレ量が上記所定量を超える場合には、警告を発する警告手段
【発明の効果】
【００１５】
この発明によれば、画像形成装置が、１枚の記録媒体に単色画像とカラーポイント画像とからなる同一画像を多面配置して画像形成する多面取りモードによる画像形成を実行する場合でも、最適な画像を得ることが可能になる。
【図面の簡単な説明】
【００１６】
【図１】この発明の一実施形態である画像形成装置の全体構成の一例を示す正面図である。
【図２】図１に示した画像形成装置１のうちの主にモノクロ電子写真式画像形成装置１０の制御系の構成例を示すブロック図である。
【図３】図１に示した画像形成装置１によって多面取りモード時に印刷出力される印刷物とその印刷に使用する原稿画像の一例を示す説明図である。
【図４】図３の（ａ）に示した１枚の印刷物３０３を８枚に断裁する場合の裁断用境界線を示す説明図である。
【図５】図１に示した画像形成装置１によってカラーポイント画像位置確認モードの指示が入力された場合に１枚のみ出力される画像位置確認用印刷物の一例を示す説明図である。
【００１７】
【図６】図２に示したモノクロ電子写真式画像形成装置１０内の画像処理部１０２等に対する入出力情報の一例を示すブロック図である。
【図７】図２の操作パネル１０１の構成例を示すレイアウト図である。
【図８】図１の画像位置検出装置３０による図５の画像位置確認用印刷物３０５上のカラーコーポレートマーク画像の位置検出について説明するための説明図である。
【図９】図１に示したパソコン２又は図２に示した操作パネル１０１上でのユーザ操作とそのユーザ操作によるパソコン２又は画像形成装置１における制御の第１例を示すフローチャートである。
【図１０】図９に示す制御の続きを示すフローチャートである。
【００１８】
【図１１】図１に示したパソコン２又は図２に示した操作パネル１０１上でのユーザ操作とそのユーザ操作によるパソコン２又は画像形成装置１における制御の第２例を示すフローチャートである。
【図１２】図１１に示す制御の続きを示すフローチャートである。
【図１３】図１に示したパソコン２又は図２に示した操作パネル１０１上でのユーザ操作とそのユーザ操作によるパソコン２又は画像形成装置１における制御の第３例を示すフローチャートである。
【図１４】図１に示したパソコン２又は図２に示した操作パネル１０１上でのユーザ操作とそのユーザ操作によるパソコン２又は画像形成装置１における制御の第３例を示すフローチャートである。
【発明を実施するための形態】
【００１９】
以下、この発明を実施するための形態を図面に基づいて具体的に説明する。
まず、この発明の一実施形態である画像形成装置の全体構成について説明する。
図１は、その画像形成装置の全体構成の一例を示す正面図である。
この画像形成装置１は、複合型画像形成装置であり、例えば図１に示すように、画像形成装置１の本体となるモノクロ電子写真式画像形成装置１０と、その排紙口に給紙口が装着されたインクジェット式カラーポイント印字装置２０と、その排紙口に給紙口が装着された画像位置検出装置３０とを備えている。
【００２０】
モノクロ電子写真式画像形成装置１０は、用紙に電子写真方式で画像を形成（「印刷」，「印字」，又は「プリント」ともいう）する第１の画像形成手段である。なお、この実施形態では、用紙を使用するが、他のシート状の記録媒体を使用することもできる。
このモノクロ電子写真式画像形成装置１０は、光書込部１１、作像部１２、定着部１３、給紙トレイ１４，１５、給紙ローラ１６，１６、および位置決めローラであるレジストローラ対１７を備え、それらが電子写真エンジン部を構成している。
【００２１】
光書込部１１は、例えば半導体レーザ等の光源や偏向手段であるポリゴンミラーを含む光学系等によって構成されており、これらによって以下に示すような動作が行われる。
光源が画像データに応じて変調駆動され、光源から画像データに応じて変調されたレーザビーム等の光ビームが射出される。
光源から射出された光ビームは、シリンダレンズによって屈曲されて定速回転するポリゴンミラーの反射面に入射され、反射される。
【００２２】
ポリゴンミラーで反射されるレーザビームは、そのポリゴンミラーの回転によって周期的に偏向される。
また、ポリゴンミラーで反射されたレーザビームは、ｆθレンズを通ることによって主走査方向（用紙幅方向と同じ）のドットピッチが均等化され、折り返しミラーで反射され、作像部１２における主走査方向と直交する副走査方向（用紙搬送方向と同じ）に回動する感光体上で主走査方向に反復走査され、感光体上に光ビームによって静電画像の書き込みが行われる。
【００２３】
作像部１２は、ドラム状又はベルト状の像担持体である感光体を備え、その周囲に帯電部、現像部、および転写部等が配置されている。
この作像部１２では、モータによって感光体が所定の速度で周回され、その感光体の表面が帯電部によって一様に帯電され、その帯電面が光書込部１１からの光ビームにより露光されて静電潜像が形成される。
次いで、その静電潜像が現像部からのトナーによって現像されることにより、顕像化したトナー像が形成される。
【００２４】
一方、選択された給紙トレイ１４又は１５内の用紙は、所定タイミングで対応する給紙ローラ１６によって給紙・搬送され、レジストローラ対１７によって先端が挟持された位置で待機する。
その後、その用紙は作像部１２内の感光体とタイミングを図って再搬送され、転写部によって感光体上のトナー像が用紙上に静電転写される。
そのトナー像が転写された用紙は、定着部１３へ搬送され、そこでその用紙上のトナー像が加熱定着されて、排紙口から排紙される。
【００２５】
インクジェット式カラーポイント印字装置２０は、モノクロ電子写真式画像形成装置１０によって画像が形成された用紙にインクジェット方式で画像を形成する第２の画像形成手段である。
このインクジェット式カラーポイント印字装置２０は、用紙搬送方向（以下「副走査方向」という）と直交する用紙幅方向（以下「主走査方向」という）に移動可能な、あるいは主走査方向の所定位置に固定されたライン型のインクジェット記録ヘッド２１、および搬送ベルト２２を備え、それらがインクジェットエンジン部を構成している。
【００２６】
インクジェット記録ヘッド２１は、４色のブラック（Ｋ）、シアン（Ｃ）、マゼンタ（Ｍ）、イエロー（Ｙ）の順に４個のインクジェットヘッドが用紙搬送方向に沿って所定間隔で配置されている。なお、各インクジェットヘッドを配置する色順はこれに限られるものではない。
インクジェット式カラーポイント印字装置２０では、モノクロ電子写真式画像形成装置１０によって画像が形成された用紙が搬送されてくると、次の（ａ）又は（ｂ）に示す動作を行う。
【００２７】
（ａ）インクジェット記録ヘッド２１の各インクジェットヘッドが主走査方向に移動可能なものであれば、図示しないキャリッジによって各インクジェットヘッドをそれぞれ主走査方向に移動させながら、図示しない各インク供給管よりそれぞれ供給される各色のインクを、搬送ベルト２２によって搬送される用紙に対して吐出してカラーポイント画像を印字する。
（ｂ）インクジェット記録ヘッド２１の各インクジェットヘッドが主走査方向の所定位置に固定されたものであれば、その各インクジェットヘッドから、各インク供給管よりそれぞれ供給されるインクを、搬送ベルト２２によって搬送される用紙に対して吐出してカラーポイント画像を印字する。
なお、用紙搬送方向と直交する用紙幅方向に複数のノズルが用紙幅方向のほぼ全幅に亘り印刷可能に配列されたフルライン型のインクジェット記録ヘッドを使用してもよい。
【００２８】
画像位置検出装置３０は、インクジェット式カラーポイント印字装置２０より用紙搬送方向の下流側に配置され、インクジェット式カラーポイント印字装置２０から搬送されてくる用紙に形成された画像位置を後述するイメージセンサ３１によって検出する画像位置検出手段である。
【００２９】
一方、モノクロ電子写真式画像形成装置１０内の図示しない画像処理部には、ＬＡＮ（ローカル・エリア・ネットワーク）等のネットワーク３を介してパーソナルコンピュータ（以下「パソコン」と略称する）２が通信可能に接続されている。なお、パソコン２以外の情報処理装置が通信可能に接続されていてもよい。また、モノクロ電子写真式画像形成装置１０内の画像処理部と、パソコン２等の情報処理装置とがＵＳＢ規格，ＩＥＥＥ１３９４規格のインタフェース（直接インタフェース）によって直接接続されていてもよい。
【００３０】
パソコン２は、ユーザによるキーボード等の入力装置の操作により、モノクロ電子写真式画像形成装置１０およびインクジェット式カラーポイント印字装置２０で印刷する原稿画像データ（後述する）を生成し、それをモノクロ電子写真式画像形成装置１０内の画像処理部へ送信する。
モノクロ電子写真式画像形成装置１０内の画像処理部は、パソコン２から送られてくる原稿画像データを受信し、その原稿画像データに基づいてモノクロ電子写真式画像形成装置１０およびインクジェット式カラーポイント印字装置２０での印刷に必要な画像データをそれぞれ生成する。
【００３１】
なお、モノクロ電子写真式画像形成装置１０およびインクジェット式カラーポイント印字装置２０がそれぞれ画像処理部を備えていてもよい。その場合、その各画像処理部にパソコン２が通信可能に接続される。
この場合、モノクロ電子写真式画像形成装置１０内の画像処理部は、パソコン２から送られてくる原稿画像データ（この場合は単色画像の画像データ）を受信し、その原稿画像データに基づいてモノクロ電子写真式画像形成装置１０での印刷に必要な画像データを生成する。インクジェット式カラーポイント印字装置２０内の画像処理部は、パソコン２から送られてくる原稿画像データ（この場合はカラーポイント画像の画像データ）を受信し、その原稿画像データに基づいてインクジェット式カラーポイント印字装置２０での印刷に必要な画像データを生成する。
【００３２】
次に、図１に示した画像形成装置１のうちの主にモノクロ電子写真式画像形成装置１０の制御系について説明する。なお、ここではモノクロ電子写真式画像形成装置１０をデジタル複写機又はデジタル複合機とする。
図２は、その制御系の構成例を示すブロック図である。
このモノクロ電子写真式画像形成装置１０は、操作パネル１０１、画像処理部１０２、周辺機Ｉ／Ｆ１０３、およびエンジン部１０４を備えている。
【００３３】
操作パネル１０１は、エンジン部１０４や、インクジェット式カラーポイント印字装置２０内のインクジェットエンジン部２０ａ、画像位置検出装置３０に対する動作要求等の指示をユーザ操作によって入力するための操作キーおよび表示器を備えている。操作キーとしては、上記指示を入力するため、テンキーやスタートキー等のハードキーを使用する。表示器としては、動作状況を表示するために、例えば液晶表示部を使用する。
【００３４】
画像処理部１０２は、ＣＰＵ２０１、ＡＳＩＣ（特定用途向け集積回路）２０２、ＲＡＭ２０３、ＲＯＭ２０４、ネットワークインタフェース（以下「インタフェース」を「Ｉ／Ｆ」と略称する）２０５、およびＨＤＤ２０６を備えている。
ＣＰＵ２０１は、この画像処理部１０２を含むモノクロ電子写真式画像形成装置１０、インクジェット式カラーポイント印字装置２０、および画像位置検出装置３０を備えた画像形成装置１全体を管理および制御する中央処理装置である。
【００３５】
ＡＳＩＣ２０２は、ＣＰＵ２０１、ＲＡＭ２０３、ＲＯＭ２０４、ネットワークＩ／Ｆ２０５、ＨＤＤ２０６、周辺機Ｉ／Ｆ１０３、エンジン部１０４、および操作パネル１０１をそれぞれ接続するための複数のＩ／Ｆ等からなる多機能デバイスボードである。このＡＳＩＣ２０２は、ＣＰＵ２０１の制御対象となるデバイスの共有化を図り、アーキテクチャの面からアプリケーションプログラム等の開発の高効率化を支援するＩＣである。また、このＡＳＩＣ２０２は、画像処理用のハードウェア要素を備えている。
【００３６】
ＲＡＭ２０３は、ＣＰＵ２０１が実行するプログラムを展開し、各種処理を行う際の作業領域や、印刷データである原稿画像データをエンジン部１０４およびインクジェット式カラーポイント印字装置２０内のインクジェットエンジン部２０ａによって用紙に可視画像を印刷するための画像データを生成する際に使用する画像メモリ等として使用する読み書き可能なメモリ（記憶手段）である。
ＲＯＭ２０４は、ブートプログラムを含む固定のプログラムおよびデータなどを格納している読み出し専用の記憶手段である。
【００３７】
ネットワークＩ／Ｆ２０５は、外部装置であるパソコン２等の情報処理装置とネットワーク３経由で双方向通信するための通信手段であり、受信手段としての機能を果す。
ＨＤＤ２０６は、各種プログラムや各種の設定内容を含む各種データを記憶する大容量記憶手段である。
なお、画像処理部１０２に、ＨＤＤ２０６以外の記憶手段、例えば図示しないフラッシュＲＯＭやＥＥＰＲＯＭ等の不揮発性メモリを備え、そこに各種データを記憶することもできる。
【００３８】
周辺機Ｉ／Ｆ１０３は、インクジェット式カラーポイント印字装置２０および画像位置検出装置３０と通信するための通信手段である。
エンジン部１０４は、原稿の画像を光学的に読み取るスキャナ部（画像読取手段）１０４ａと、そのスキャナ部１０４ａからの原稿画像データや画像処理部１０２で生成した原稿画像データを可視画像として用紙上に印刷する電子写真エンジン部１０４ｂとからなる。なお、原稿画像データがパソコン２等から受信するＰＤＬ（プリンタ記述言語）等の画像データの場合、それを用紙に可視画像を印刷するための画像データに変換する必要がある。また、モノクロ電子写真式画像形成装置１０がプリンタであれば、エンジン部１０４は電子写真エンジン部となる。
【００３９】
このように構成されたモノクロ電子写真式画像形成装置１０を含む画像形成装置１において、画像処理部１０２内のＣＰＵ２０１は、電源投入時に、自己にＡＳＩＣ２０２を介して接続されているＲＯＭ２０４内のブートローダに従い、ＨＤＤ２０６内のオペレーティングシステム（ＯＳ）およびアプリケーションプログラムを含む各種プログラムを読み出し、ＲＡＭ２０３に展開する。そして、その各種プログラムを選択的に実行することにより、自己にＡＳＩＣ２０２を介して接続されている各種デバイスとの入出力を制御し、エンジン部１０４や周辺機Ｉ／Ｆ１０３によるインクジェット式カラーポイント印字装置２０および画像位置検出装置３０との通信を制御する。それによって、エンジン部１０４による印刷処理、インクジェット式カラーポイント印字装置２０による印刷処理、および画像位置検出装置３０による画像位置検出処理を制御する。
【００４０】
よって、ＣＰＵ２０１，ＲＯＭ２０４，およびＲＡＭ２０３を含む画像処理部１０２が、この発明に関わる手段である裁断用境界線画像データ生成手段，カラーポイント画像位置確認モード指示入力手段，画像位置確認用画像形成制御手段，多面取り画像形成制御手段，カラーポイント画像位置自動チェックモード指示入力手段，画像位置自動チェック用画像形成制御手段，ズレ量算出手段，警告手段，および位置関係寸法算出手段としての機能を果たすことができる。
【００４１】
以下、この画像形成装置１におけるこの発明に関わる部分について、図３〜図１４を参照して具体的に簡単に説明する。
まず、図１に示した画像形成装置１によって多面取りモード時に印刷出力される印刷物とその印刷に使用する原稿画像について説明する。
図３は、その印刷物と原稿画像の一例を示す説明図である。
【００４２】
この実施形態では、１枚の用紙の印刷する側の面（印刷対象面）を８つの領域（以下「エリア」ともいう）面に分割する。そして、その各エリア面に、単色画像とカラーポイント画像とからなる同一画像のデータに基づいて、モノクロ電子写真式画像形成装置１０によって単色画像のみを、インクジェット式カラーポイント印字装置２０によってカラーポイント画像を、それぞれ多面配置した画像を印刷（形成）させて出力する。
【００４３】
この例では、図３の（ａ）に示す１枚の用紙３００の各エリア面に、モノクロ電子写真式画像形成装置１０によって単色画像である同図の（ｂ）に示す黒色による本人情報（以下単に「本人情報」ともいう）画像３０１を、インクジェット式カラーポイント印字装置２０によってカラーポイント画像である同図の（ｂ）に示すオリジナルカラーによるコーポレートマーク（以下「カラーコーポレートマーク」という）画像３０２を、それぞれ多面配置した画像（８つの名刺状態の画像）を印刷させた印刷物３０３を出力する。
【００４４】
そして、この印刷出力を予め設定された印刷部数（必要部数）分だけ繰り返し行う。
印刷出力された各印刷物３０３は、それぞれ図示しない断裁装置によって８分割に切断することで、多数枚の名刺が出来上がる。
なお、本人情報とは、住所、名前、会社名、電話番号、メールアドレスなどに相当する。また、本人情報画像３０１は、黒以外の単色画像であってもよい。更に、１枚の用紙面の分割数は８つに限らない。
【００４５】
名刺の基本画像データである原稿画像データは、パソコン２からモノクロ電子写真式画像形成装置１０内の画像処理部１０２へ送られて処理されるが、次のようにするとよい。つまり、原稿画像データを予めパソコン２上で図３に示したように８つのエリア面にそれぞれ配置した状態の画像データである多面取り（この例では「８面取り」）の原稿画像データを作り出して、モノクロ電子写真式画像形成装置１０内の画像処理部１０２へ送信する。この場合、画像処理部１０２では、パソコン２から受信した８面取りの原稿画像データのうち、８つの本人情報画像の画像データに基づいて生成した印刷用の画像データをモノクロ電子写真式画像形成装置１０内の電子写真エンジン部１０４ｂへ、８つのカラーコーポレートマーク画像の画像データに基づいて生成した印刷用の画像データをインクジェット式カラーポイント印字装置２０内のインクジェットエンジン部２０ａへそれぞれ送るという制御方法が第一の制御方法である。
【００４６】
また、パソコン２からは１エリア面分の原稿画像データをモノクロ電子写真式画像形成装置１０内の画像処理部１０２に送り、その画像処理部１０２がユーザ操作によって操作パネル１０１から指示された情報によって自動的に原稿画像データの縮小８分割を行う。この縮小８分割とは、原稿画像データによる画像が１枚の用紙の８分割した各エリア面に多面配置されるように、その画像データを１／８の大きさに縮小したものを８つ生成する処理のことである。縮小８分割した各画像データからは、黒単色画像の画像データとカラーポイント画像の画像データとを識別してそれらの画像位置も計算し、それぞれの画像データによる画像が適切な分担で適切な位置に印刷されるように制御する。これら一連の制御方法が第二の制御方法である。
【００４７】
図３において、モノクロ電子写真式画像形成装置１０は、印刷に使用する用紙３００に対する黒画像位置精度については信頼性があるので、特別に確認を必要としないのが通常である。つまり、多面取りで用紙面を分割した場合にも、本人情報画像３０１の位置は計算どおりにほぼ正しく印刷されると考えてよい。
【００４８】
しかし、モノクロ電子写真式画像形成装置１０の排紙口に給紙口が装着されたインクジェット式カラーポイント印字装置２０の場合には、印刷に使用する用紙３００に対する画像位置の信頼性が低いことと、用紙面の８分割によって更に位置の事前確認をしないと心配なことから、次のようなニーズがある。つまり、例えば２０枚の印刷出力を行いたい場合にも、まずは１枚の印刷物だけカラーコーポレートマーク画像３０２の画像位置を確認したいというニーズが発生する。
この実施形態におけるこの発明に関わる制御は、こうしたニーズに応えるものである。
【００４９】
次に、図３の（ａ）に示した１枚の印刷物３０３を８枚に断裁する場合の裁断用境界線（「切断枠線」ともいう）について説明する。
図４は、その裁断用境界線を示す説明図である。
実際の印刷では、図３の（ａ）に示したように、図４の裁断用境界線４０１は印刷されない。なぜなら、裁断用境界線４０１の位置ばらつきと実際の断裁位置ばらつきとがあるので、裁断用境界線４０１を印刷しても実際に切断されたものでは、その端部に裁断用境界線４０１が残ってしまうことが不具合となるからである。
【００５０】
但し、上記のように８分割された状態でカラーコーポレートマーク画像３０２の印刷位置（形成位置）を確認する場合には、このような裁断用境界線４０１があると非常に便利で且つ位置確認がし易くなる。
そこで、この実施形態の画像形成装置１では、以下に示すような入力や動作を可能にする。
【００５１】
図５は、図１に示した画像形成装置１によってカラーポイント画像位置確認モードの指示が入力された場合に１枚のみ出力される画像位置確認用印刷物の一例を示す説明図である。
この実施形態の画像形成装置１では、モノクロ電子写真式画像形成装置１０内の画像処理部１０２が、用紙３００上のカラーコーポレートマーク画像３０２の印刷位置を確認するために、専用の画像位置確認モードであるカラーポイント画像位置確認モードの指示を入力可能にする。
【００５２】
そして、このカラーポイント画像位置確認モードが指示されている場合には、生成した裁断用境界線の画像データとカラーポイント画像の画像データであるカラーコーポレートマーク画像の画像データとに基づいて、次の制御を行う。例えば、図５に示すように、取得したサイズ情報のサイズの用紙３００に図２のモノクロ電子写真式画像形成装置１０内の電子写真エンジン部１０４ｂによって裁断用境界線４０１を、インクジェット式カラーポイント印字装置２０内のインクジェットエンジン部２０ａによってカラーポイント画像であるカラーコーポレートマーク画像３０２をそれぞれ印刷（画像形成）させた画像位置確認用印刷物（画像位置確認用記録媒体）３０５を１枚だけ出力する。
【００５３】
ユーザは、その出力された印刷物３０５の画像面を参照して裁断用境界線４０１に対するカラーコーポレートマーク画像３０２の印刷位置の確認を行い、その確認の結果、ＯＫ（了解）であればそのまま後述するスタートキー（又は確認ＯＫキー）を押すことで、２枚目以降は図３に示したような印刷物３０３が出力される。
こうすることで、裁断用境界線４０１に対するカラーコーポレートマーク画像３０２の印刷位置を容易に確認することが可能になる。図３の（ｂ）に示した本人情報画像３０１はあってもなくても、いずれであってもよい。勿論、これは確認用であるので、裁断用境界線４０１があっても問題にはならない。
【００５４】
次に、図２に示したモノクロ電子写真式画像形成装置１０内の画像処理部１０２等に対する入出力情報とそのうちの入力情報による画像処理部１０２の制御（処理を含む）について説明する。
図６は、その入出力情報の一例を示すブロック図である。
画像処理部１０２は、モノクロ電子写真式画像形成装置１０の外部装置であるパソコン２又はスキャナ部１０４ａから原稿画像データ６０１の入力が可能である。パソコン２から送られてくる原稿画像データ６０１は、画像情報、文字情報、画像や文字の色を示す色情報、画像や文字の位置を示す位置情報等を示すＰＤＬ等の画像データである。スキャナ部１０４ａから送られてくる原稿画像データ６０１は、ビットマップ状の画像データである。
【００５５】
また、ユーザによる操作パネル１０１上での操作により、その操作パネル１０１から図３に示した１枚の用紙３００に本人情報画像３０１（単色画像）とカラーコーポレートマーク画像３０２（カラーポイント画像）とからなる同一画像を多面配置して画像形成する多面取りモードの指示（多面取りモード指示）６０２の入力が可能である。なお、パソコン２上での操作により、そのパソコン２から多面取りモード指示６０２の入力（受信）を可能にしてもよい。また、多面取りモード指示６０２にはその面数情報（図３の例では「８面」を示す情報）を含むものとするが、多面取りモード指示６０２とは別に面数情報の入力を可能にしてもよい。
【００５６】
さらに、カラーコーポレートマーク画像３０２の印刷位置を確認するために、ユーザによる操作パネル１０１上の操作により、その操作パネル１０１から専用の画像位置確認モードであるカラーポイント画像位置確認モードの指示（カラーポイント画像位置確認モード指示）６０３の入力も可能である。この機能が、カラーポイント画像位置確認モード指示入力手段としての機能である。なお、カラーポイント画像位置確認モードの指示６０３の代わりに、あるいはその指示とは別に、カラーポイント画像位置自動チェックモードの指示（カラーポイント画像位置自動チェックモード指示）の入力を可能にしてもよい。この機能が、カラーポイント画像位置自動チェックモード指示入力手段としての機能である。なお、パソコン２上での操作により、そのパソコン２からカラーポイント画像位置確認モード指示６０３又はカラーポイント画像位置自動チェックモード指示の入力を可能にしてもよい。
【００５７】
さらにまた、ユーザによる操作パネル１０１上の操作により、その操作パネル１０１から印刷に使用する用紙３００つまり図１の給紙カセット１４又は１５から給紙させる用紙３００のサイズ情報（用紙サイズ情報）６０４の入力も可能である。なお、印刷に使用する用紙３００のサイズを給紙経路上に配置されたサイズ検出手段であるサイズ検出センサによって検出することにより、用紙サイズ情報６０４の入力を可能にしてもよい。あるいは、パソコン２上での操作により、そのパソコン２から用紙サイズ情報６０４の入力を可能にしてもよい。
【００５８】
画像処理部１０２は、多面取りモード指示（面数情報を含む）６０２および用紙サイズ情報６０４が入力されると、多面取りモード、面数情報、および用紙サイズを設定する。
そして、設定した面数情報と用紙サイズとから計算によって多面取り画像の裁断用境界線の画像データ（寸法，位置を示すデータ）を自動生成する。この機能が、裁断用境界線画像データ生成手段としての機能である。
また、原稿画像データ６０１が入力されると、その原稿画像データ６０１を印刷用の原稿画像データに変換する。つまり、原稿画像データ６０１から印刷用の原稿画像データを生成する。
【００５９】
すなわち、入力された原稿画像データ６０１がＰＤＬ等の言語情報であれば、その原稿画像データ６０１から色情報を抽出し、その色情報に基づいて原稿画像データ６０１を本人情報画像の画像データとカラーコーポレートマーク画像の画像データとに識別する。
同時に、その各画像データの各位置情報や、文字情報、画像情報を抽出する。
そして、本人情報画像の画像データから抽出した文字情報および位置情報を印刷用の画像データとして、カラーコーポレートマーク画像の画像データから抽出した色情報、画像情報，および位置情報を印刷用の画像データとしてそれぞれ使用することができる。これらの画像データは生成したものとみなせる。
【００６０】
入力された原稿画像データ６０１がビットマップ状の画像データであった場合には、ＯＣＲ（光学式文字認識）等の文字認識ソフトウェアや画像認識ソフトウェアを用いて原稿画像データ６０１から本人情報画像の画像データとカラーコーポレートマーク画像の画像データを認識する。このとき、色を認識して色情報を生成すると共に、その認識結果に基づいて原稿画像データ６０１を本人情報画像の画像データとカラーコーポレートマーク画像の画像データとに識別する。
【００６１】
同時に、その各画像データの各位置を計算によって求め（算出し）、各位置情報を生成する。また、文字および画像を認識して文字情報および画像情報を生成する。
そして、本人情報画像の画像データから認識して生成した文字情報および位置情報を印刷用の画像データとして、カラーコーポレートマーク画像の画像データから認識して生成した色情報，画像情報、および位置情報を印刷用の画像データとしてそれぞれ使用することができる。これらの画像データも生成したものとみなせる。
【００６２】
そして、生成した裁断用境界線の画像データ（寸法情報および位置情報からなる）を、図２のモノクロ電子写真式画像形成装置１０内の電子写真エンジン部１０４ｂを制御する電子写真エンジン書込制御部７０１に送り出す。
また、生成した印刷用のカラーコーポレートマーク画像の画像データ（色情報，画像情報，および位置情報からなる）をインクジェット式カラーポイント印字装置２０内のインクジェットエンジン部２０ａを制御するインクジェットエンジン書込制御部７０２に送り出す。
【００６３】
画像処理部１０２は、多面取りモード指示６０２および原稿画像データ６０１が入力されると共に、カラーポイント画像位置確認モード指示６０３が入力された場合には、上述と同様の処理を行う。
また、生成した裁断用境界線の画像データ（寸法情報および位置情報からなる）と生成した印刷用のカラーコーポレートマーク画像の画像データ（文字情報および位置情報からなる）とに基づいて、次の処理を行う。
【００６４】
すなわち、電子写真エンジン書込制御部７０１に裁断用境界線の印刷を指示する。それによって、電子写真エンジン書込制御部７０１は、画像処理部１０２から受け取った裁断用境界線の画像データに基づいて、電子写真エンジン部１０４ｂによって給紙した用紙３００に裁断用境界線４０１を印刷させる。
また、インクジェットエンジン書込制御部７０２にカラーポイント画像の印刷を指示する。それによって、インクジェットエンジン書込制御部７０２は、画像処理部１０２から受け取ったカラーコーポレートマーク画像の画像データに基づいて、インクジェットエンジン部２０ａによって給紙した用紙３００にカラーコーポレートマーク画像３０２（カラーポイント画像）を印刷させる。
【００６５】
そして、これらの印刷処理により、図５に示したような裁断用境界線４０１とカラーコーポレートマーク画像３０２とを印刷した印刷物である画像位置確認用印刷物３０５を１枚だけ出力する。
上述の印刷処理の機能が、画像位置確認用画像形成制御手段としての機能である。
【００６６】
なお、多面取りモード指示（面数情報を含む）６０２および原稿画像データ６０１が入力されると共に、カラーポイント画像位置自動チェックモードの指示が入力された場合にも、カラーポイント画像位置確認モード指示６０３が入力された場合と同様の印刷処理を行うことができる。この機能は、画像位置自動チェック用画像形成制御手段としての機能である。
以上の処理によれば、用紙３００に８つに分割した各エリア面（分割画像位置）の枠線として裁断用境界線４０１を形成し、その各エリア面にそれぞれカラーコーポレートマーク画像３０２を形成することが可能になる。
【００６７】
次に、図１に示したパソコン２および画像形成装置１に対するユーザ操作とそのユーザ操作によるパソコン２および画像形成装置１における具体的制御について説明する。
ユーザ（以下「オペレータ」ともいう）は、名刺を作る場合、まず図２の操作パネル１０１上での操作により、図６の多面取りモード指示（８面を示す面数情報を含む）６０２および用紙サイズ情報６０４をモノクロ電子写真式画像形成装置１０内の画像処理部１０２に入力させる。
オペレータはまた、図１のパソコン２上での操作により、原稿画像データ６０１を生成し、それをモノクロ電子写真式画像形成装置１０内の画像処理部１０２へ送信させる。
【００６８】
モノクロ電子写真式画像形成装置１０内の画像処理部１０２は、パソコン２から送られてくる原稿画像データを受信すると、その原稿画像データをチェックする。そして、その原稿画像データにカラーコーポレートマーク画像の画像データが含まれていることを識別すると、インクジェット式カラーポイント印字装置２０内のインクジェットエンジン部２０ａを用いることを決め、受信した原稿画像データを本人情報画像の画像データとカラーコーポレートマーク画像の画像データとに識別し、その各画像データを分別する。
モノクロ電子写真式画像形成装置１０内の画像処理部１０２は、多面取りモード指示６０２と用紙サイズ情報６０４とが入力されると、面数情報と用紙サイズ情報６０４とから裁断用境界線（切断枠線）の画像位置を計算し、その裁断用境界線の寸法（長さ）と位置を示す裁断用境界線の画像データを生成する。
【００６９】
ここで、その処理を含む各種制御を画像処理部１０２に行わせるための指示の入力を可能にする操作パネル１０１の構成について説明する。
図７は、その操作パネル１０１の構成例を示すレイアウト図である。
この操作パネル１０１は、液晶表示部８０１，テンキー８０２，スタートキー８０３，ストップキー８０４，選択キー８０５、および決定キー８０６を備えている。
【００７０】
液晶表示部８０１は、例えば図７に示す多面取りモードおよびカラーポイント画像位置確認モード（又はカラーポイント画像位置自動チェックモード）を含む選択可能なモードや印刷部数、機械の状態を示すメッセージ等の情報、それらの情報を含む操作画面を表示する表示手段である。液晶表示部８０１としては、表面にタッチパネルを備えたものを使用することもできる。
テンキー８０２は、印刷部数（出力枚数）や変倍率等の数値を入力するためのキーである。
スタートキー８０３は、印刷開始の指示を入力するためのキーである。
【００７１】
ストップキー８０４は、印刷部数をクリアしたり、実行中の動作（画像読取動作又は画像形成動作）停止の指示を入力するためのキーである。
選択キー８０５は、液晶表示部８０１上に表示されているモードの選択の指示を入力するためのキーである。
決定キー８０６は、選択キー８０５によって選択されたモードの決定の指示を入力するためのキーである。
【００７２】
このような構成によれば、オペレータは、液晶表示部８０１上に表示されている各種モードを参照し、選択キー８０５および決定キー８０６の操作により、カラーポイント画像位置確認モード（又はカラーポイント画像位置自動チェックモード）指示６０３と多面取りモード指示６０２とを入力することが可能になる。但し、カラーポイント画像位置確認モード指示６０３を入力する前に、多面取りモード指示６０２を入力した場合、画像処理部１０２が、カラーポイント画像位置確認モード指示６０３をオペレータに入力させるように案内するメッセージ等の情報を液晶表示部８０１に表示することが望ましい。そうすれば、多面取りモードの場合にオペレータがカラーコーポレートマーク画像（カラーポイント画像）の印刷位置の確認指示をし忘れることことがなくなる。なお、多面取りモード指示６０２に、面数情報として、多面取りの詳細配置を示す情報を含めるようにしてもよい。
【００７３】
モノクロ電子写真式画像形成装置１０内の画像処理部１０２は、操作パネル１０１から多面取りモード指示６０２と用紙サイズ情報６０４とが入力される他に、カラーポイント画像位置確認モード指示６０３が入力され、テンキー８０２により印刷部数として「２０」が入力された後、スタートキー８０３の押下によって印刷の指示が入力されると、画像位置確認用印刷制御を行う。
【００７４】
すなわち、上述したように印刷用の裁断用境界線の画像データ（寸法情報および位置情報からなる）を生成し、その画像データを電子写真エンジン書込制御部７０１へ送り出した後、裁断用境界線の印刷指示を用紙サイズ情報６０４によって設定した用紙サイズ（設定用紙サイズ）の情報と共に送信する。また、上述したように生成した印刷用のカラーコーポレートマーク画像の画像データ（色情報，画像情報，および位置情報からなる）をインクジェット式カラーポイント印字装置２０内のインクジェットエンジン書込制御部７０２に送り出した後、カラーポイント画像の印刷指示を送信する。
【００７５】
電子写真エンジン書込制御部７０１は、画像処理部１０２から印刷用の裁断用境界線の画像データを受信した後、裁断用境界線の印刷指示を設定用紙サイズ情報と共に受けると、設定用紙サイズの用紙３００を給紙カセット１４又は１５から１枚だけ給紙させる。そして、受信した裁断用境界線の画像データに基づいて、給紙した用紙３００に電子写真エンジン部１０４ｂによって裁断用境界線４０１の書き込み（形成）を行わせる。
【００７６】
インクジェットエンジン書込制御部７０２は、画像処理部１０２から印刷用のカラーコーポレートマーク画像の画像データを受信した後、カラーポイント画像の印刷指示を受けると、受信したカラーコーポレートマーク画像の画像データに基づいて、電子写真エンジン部１０４ｂから搬送されてくる用紙３００の裁断用境界線４０１によって仕切られた各エリア面にインクジェットエンジン部２０ａによってカラーコーポレートマーク画像３０２を多面配置した画像の書き込みを行わせる。
【００７７】
こうして、図５に示したような画像位置確認用印刷物３０５が１枚だけ出力されることになる。
上述した画像位置確認用印刷制御を実行する機能が、画像位置確認用画像形成制御手段としての機能である。
【００７８】
オペレータは、この１枚の画像位置確認用印刷物３０５を参照し、カラーコーポレートマーク画像３０２の配置や位置に問題がないと判断すれば、スタートキー８０３の再押下によって印刷の指示を入力する。なお、画像位置確認用印刷物３０５の出力後に、液晶表示部８０１に図示しない「確認ＯＫ」のキーを表示し、そのキーの選択によって印刷の指示を入力することもできる。
モノクロ電子写真式画像形成装置１０内の画像処理部１０２は、印刷の指示が入力されると、多面取り印刷制御を行う。
【００７９】
すなわち、上述したように生成した印刷用の本人情報画像の画像データ（文字情報および位置情報からなる）を電子写真エンジン書込制御部７０１へ送り出した後、本人情報画像の印刷指示を設定用紙サイズ情報と共に送信する。その通知は、印刷部数「２０」分だけ繰り返し行う。また、画像位置確認用の印刷物を出力する場合と同様のカラーコーポレートマーク画像の画像データ（色情報，画像情報，および位置情報からなる）をインクジェット式カラーポイント印字装置２０内のインクジェットエンジン書込制御部７０２に送り出した後、カラーポイント画像の印刷指示を送信する。この通知も、印刷部数「２０」分だけ繰り返し行う。
【００８０】
電子写真エンジン書込制御部７０１は、画像処理部１０２から印刷用の本人情報画像の画像データを受信した後、本人情報画像の印刷指示を設定用紙サイズ情報と共に受ける度に、１枚目の用紙３００と同じサイズの２枚目以降の用紙３００を給紙カセット１４又は１５から１枚給紙させる。そして、受信した本人情報画像の画像データに基づいて、給紙させた用紙３００の裁断用境界線４０１によって仕切られる各エリア面に電子写真エンジン部１０４ｂによって本人情報画像３０１を多面配置した画像の書き込みを行わせる。この書き込みは、２０枚の用紙３００に対して繰り返し行わせる。
【００８１】
インクジェットエンジン書込制御部７０２は、画像処理部１０２から印刷用のカラーコーポレートマーク画像の画像データを受信した後、カラーポイント画像の印刷指示を受ける度に、受信したカラーコーポレートマーク画像の画像データに基づいて、電子写真エンジン部１０４ｂから搬送されてくる用紙３００の上記各エリア面にインクジェットエンジン部２０ａによってカラーコーポレートマーク画像３０２を多面配置した画像の書き込みを行わせる。この書き込みは、２０枚の用紙３００に対して繰り返し行わせる。
こうして、裁断用境界線４０１は書き込まれず、図３に示したような印刷物３０３が２０枚出力されて終了する。
【００８２】
上述した多面取り印刷制御を実行する機能が、多面取り画像形成制御手段としての機能である。
なお、この例では、画像処理部１０２が、印刷用の裁断用境界線の画像データと印刷用の本人情報画像の画像データとを異なるタイミングで電子写真エンジン書込制御部７０１へ送信するようにしたが、同じタイミングで送信した後、本人情報画像の印刷指示によって本人情報画像の印刷を、カラーポイント画像の印刷指示によってカラーポイント画像の印刷をそれぞれ電子写真エンジン書込制御部７０１に行わせることもできる。後述する図９，図１０に示す制御では、そのような処理を行わせる。
【００８３】
モノクロ電子写真式画像形成装置１０内の画像処理部１０２は、操作パネル１０１から多面取りモード指示６０２と用紙サイズ情報６０４とが入力される他に、カラーポイント画像位置自動チェックモード指示が入力され、テンキー８０２により印刷部数として「２０」が入力された後、スタートキー８０３の押下によって印刷の指示が入力されると、画像位置確認用印刷制御と同様の画像位置自動チェック用印刷制御を行い、画像位置自動チェック用印刷物（画像位置自動チェック用記録媒体）を出力させる。この画像位置自動チェック用印刷制御を実行する機能が、画像位置自動チェック用画像形成制御手段としての機能である。
【００８４】
画像位置自動チェック用印刷物を出力した際に、画像位置検出装置３０によって検出した裁断用境界線４０１の画像位置（印刷位置）とカラーコーポレートマーク画像３０２のうちの少なくとも１つの画像位置との位置関係の寸法を、裁断用境界線４０１の画像データの位置とカラーコーポレートマーク画像３０２の画像データのうちの上記少なくとも１つに対応する画像データの位置とから算出した位置関係の寸法と比較して、その差によるズレ量を算出する。この機能が、ズレ量算出手段としての機能である。
【００８５】
そして、その算出したズレ量が予め設定された所定量以内の場合には、上述と同様の多面取り印刷制御を行い、所定量を超える場合には警告を発する。この機能が、警告手段としての機能である。なお、上記警告後に、印刷の指示が入力された場合にも、上述した多面取り印刷制御を行うことは可能である。
あるいは、上記算出したズレ量が予め設定された所定量を超える場合には、上述と同様の多面取り印刷制御を行う際に、次の処理を行う。つまり、インクジェットエンジン部２０ａによるカラーコーポレートマーク画像３０２の印刷位置をインクジェットエンジン書込制御部７０２に上記ズレ量に応じて補正させる。
【００８６】
ここで、図１の画像位置検出装置３０による図５の画像位置確認用印刷物３０５上のカラーコーポレートマーク画像３０２の位置検出についてもう少し詳しく説明する。
図８は、そのカラーコーポレートマーク画像３０２の位置検出について説明するための説明図である。
【００８７】
画像位置検出装置３０は、例えば図８の（ｃ）に示す画像位置確認用印刷物３０５の画像面を読み取って裁断用境界線４０１の画像位置を検出し、その画像位置とカラーコーポレートマーク画像３０２のうちの少なくとも１つの画像位置との位置関係の寸法Ｄ，Ｅを実測（実際に計測）する。画像位置確認用印刷物３０５の画像面は、図２のイメージセンサ３１を用いて光学的に読み取ることができる。イメージセンサ３１としては、ＣＣＤイメージセンサ以外に、ＣＩＳと呼ばれる近接型画像検出センサ（ＣＭＯＳイメージセンサを含む）の使用が可能であるが、用紙３００の画像面の読み取りには近接型画像検出センサの方が適している。
【００８８】
一方、画像処理部１０２は、図８の（ｃ）に示した画像位置確認用印刷物３０５の印刷に使用した裁断用境界線４０１の画像データである図８の（ａ）に示す画像データ４０１′の位置と、図８の（ｃ）に示した画像位置確認用印刷物３０５の印刷に使用したカラーコーポレートマーク画像３０２の画像データである図８の（ｂ）に示す画像データ３０２′のうちの上記少なくとも１つに対応する画像データの位置との位置関係寸法Ｄ′，Ｅ′を、それらの画像データ４０１′，３０２′の位置情報から算出する。
【００８９】
すなわち、図８の（ａ）に示した画像データ４０１′の位置と図８の（ｂ）に示した画像データ３０２′のうちの上記少なくとも１つに対応する画像データの位置との位置関係の寸法として、画像データ４０１′のうちの上記少なくとも１つの画像データ３０２′をそれぞれ囲む部分の位置とその少なくとも１つの画像データ３０２′の位置との位置関係の寸法Ｄ′，Ｅ′を算出する。例えば、図８の（ａ）に示した画像データ４０１′のうちの破線で囲んで示す画像データ３０２′を囲む部分の位置（画像データ４０１′のうちの副走査方向の上から２本目の横線の位置および主走査方向の中央の縦線の位置）とその画像データ３０２′の位置（副走査方向の最上位位置および主走査素方向の左端位置）との位置関係の寸法Ｄ′，Ｅ′を算出する。
その後、実測した位置関係の寸法Ｄ，Ｅを算出した位置関係の寸法Ｄ′，Ｅ′とそれぞれ比較して、その差によるズレ量ΔＤ＝｜Ｄ−Ｄ′｜，ΔＥ＝｜Ｅ−Ｅ′｜を算出する。
【００９０】
画像処理部１０２は、操作パネル１０１からの指示により、算出したズレ量ΔＤ，ΔＥと比較する所定量である許容ズレ量ΔＤｒ，ΔＥｒを予めＨＤＤ２０６に記憶して設定しておくことができる。許容ズレ量ΔＤｒ，ΔＥｒは、例えばいずれも１ｍｍとする。
よって、算出したズレ量ΔＤ，ΔＥがそれぞれ予め設定された許容ズレ量ΔＤｒ，ΔＥｒ以内の場合には、カラーコーポレートマーク画像３０２の配置や位置に問題がないと判断して、上述したスタートキー８０３の再押下時と同様の多面取り印刷制御を実行する。
また、算出したズレ量ΔＤ又はΔＥが予め設定された許容ズレ量ΔＤｒ又はΔＥｒを超えた場合には、以下の（ａ）および（ｂ）の各処理あるいはそのいずれか一方の処理を行う。
【００９１】
（ａ）カラーコーポレートマーク画像３０２のズレ量が許容ズレ量を超えている旨の警告を発する。例えば、カラーコーポレートマーク画像３０２のズレ量が許容ズレ量を超えている旨の警告情報を操作パネル１０１の液晶表示部８０１に表示する。なお、モノクロ電子写真式画像形成装置１０にスピーカ等の音声出力部を設けている場合には、その音声出力部によってカラーコーポレートマーク画像のズレ量が許容ズレ量を超えている旨の警告を音声出力することも可能である。
（ｂ）上述と同様の多面取り印刷制御を行うが、その際にインクジェットエンジン部２０ａによるカラーコーポレートマーク画像３０２の印刷位置をインクジェットエンジン書込制御部７０２に上記ズレ量ΔＤｒ，ΔＥｒに応じて補正させる。
【００９２】
次に、図１に示したパソコン２又は図２に示した操作パネル１０１上でのユーザ操作とそのユーザ操作によるパソコン２又は画像形成装置１における制御の第１例について説明する。
図９は、そのユーザ操作と制御の第１例を示すフローチャートである。
図１０は、図９に示す制御の続きを示すフローチャートである。
【００９３】
オペレータは、例えば名刺を作る場合、図９のステップＳ１〜Ｓ６において、パソコン２上での操作によって必要な指示や情報等をパソコン２内の図示しない制御部に入力させる。
すなわち、図９のステップＳ１，Ｓ２では、パソコン２上での操作により、カラーポイント画像位置確認モード指示と多面取りモード指示（例えば「８面」を示す面数情報を含む）とを、パソコン２内の制御部に入力させる。
【００９４】
ステップＳ３，Ｓ４では、パソコン２上での操作により、生成した名刺の基本画像データである多面取りの原稿画像データに本人情報画像の画像データおよびカラーコーポレートマーク画像の画像データを設定する処理をパソコン２内の制御部に行わせる。
次のステップＳ５〜Ｓ７では、パソコン２上での操作により、用紙サイズ情報および印刷部数情報をパソコン２内の制御部に入力させた後、原稿画像データの送信指示をパソコン２内の制御部に入力させる。
【００９５】
それによって、ステップＳ８〜Ｓ２１では、パソコン２および画像形成装置１が以下に示す制御を行う。
ステップＳ８では、パソコン２内の制御部が、本人情報画像の画像データおよびカラーコーポレートマーク画像の画像データを設定した多面取りの原稿画像データをモノクロ電子写真式画像形成装置１０内の画像処理部１０２へ送信する。このとき、図示は省略するが、その多面取りの原稿画像データと共に、入力されたカラーポイント画像位置確認モード指示、多面取りモード指示、用紙サイズ情報、および印刷部数情報も送信する。
【００９６】
なお、前述したように、操作パネル１０１上での操作により、カラーポイント画像位置確認モード指示、多面取りモード指示、用紙サイズ情報、および印刷部数情報をモノクロ電子写真式画像形成装置１０内の画像処理部１０２に入力させるようにしてもよい。
【００９７】
モノクロ電子写真式画像形成装置１０内の画像処理部１０２は、パソコン２から送信された多面取りの原稿画像データを受信すると、図示は省略するが、その原稿画像データおよびそれと共に受信したカラーポイント画像位置確認モード指示、多面取りモード指示、用紙サイズ情報、および印刷部数情報をＲＡＭ２０３に記憶する。また、ＲＡＭ２０３に記憶したカラーポイント画像位置確認モード指示、多面取りモード指示、用紙サイズ情報、および印刷部数情報に基づいて、カラーポイント画像位置確認モード、多面取りモード、面数情報、用紙サイズ、および印刷部数を設定する。
【００９８】
その後、ステップＳ９において、前述したように、設定した面数情報と用紙サイズとから計算によって多面取り画像の裁断用境界線の画像データ（寸法情報および位置情報からなる）を自動生成する。
また、ステップＳ１０，Ｓ１１において、前述したように、ＲＡＭ２０３に記憶した原稿画像データから印刷用の原稿画像データを生成する。
【００９９】
すなわち、ステップＳ１０では、ＲＡＭ２０３に記憶した原稿画像データのうちの本人情報画像の画像データから印刷用の本人情報画像の画像データ（文字情報および位置情報からなる）を生成する。
ステップＳ１１では、ＲＡＭ２０３に記憶した原稿画像データのうちのカラーコーポレートマーク画像の画像データから印刷用のカラーコーポレートマーク画像の画像データ（色情報，画像情報，および位置情報からなる）を生成する。
【０１００】
次のステップＳ１２では、生成した裁断用境界線の画像データ（寸法情報および位置情報からなる）と印刷用の本人情報画像の画像データ（文字情報および位置情報からなる）とをモノクロ電子写真式画像形成装置１０内の電子写真エンジン書込制御部７０１へ送信する。
次のステップＳ１３では、生成したカラーコーポレートマーク画像の画像データ（色情報、画像情報，および位置情報からなる）をインクジェット式カラーポイント印字装置２０内のインクジェットエンジン書込制御部７０２へ送信する。
【０１０１】
その後、図１０のステップＳ１４へ進み、カラーポイント画像位置確認モードの設定の有無をチェックする。この例では、カラーポイント画像位置確認モードが設定されているため、カラーポイント画像位置確認モードを設定していると判断してステップＳ１５へ進む。しかし、ステップＳ１でカラーポイント画像位置確認モードを設定しないような場合には、カラーポイント画像位置確認モードを設定していないと判断して、ステップＳ１９へ進む。
【０１０２】
ステップＳ１５では、電子写真エンジン書込制御部７０１に裁断用境界線の印刷指示を用紙サイズ情報によって設定した用紙サイズ（設定用紙サイズ）の情報と共に送信することにより、次の印刷処理を行わせる。電子写真エンジン書込制御部７０１は、画像処理部１０２から裁断用境界線の印刷指示を設定用紙サイズ情報と共に受けると、設定用紙サイズの用紙を給紙カセット１４又は１５から１枚だけ給紙させる。そして、画像処理部１０２から受け取った裁断用境界線の画像データに基づいて、給紙した用紙３００に電子写真エンジン部１０４ｂによって裁断用境界線を印刷させる。
【０１０３】
続いて、ステップＳ１６において、インクジェットエンジン書込制御部７０２にカラーポイント画像の印刷指示を送信することにより、次の印刷処理を行わせる。インクジェットエンジン書込制御部７０２は、画像処理部１０２からカラーポイント画像の印刷指示を受けると、画像処理部１０２から受け取ったカラーコーポレートマーク画像の画像データに基づいて、電子写真エンジン部１０４ｂから搬送されてくる用紙の裁断用境界線によって仕切られた各エリア面にインクジェットエンジン部２０ａによってカラーコーポレートマーク画像（カラーポイント画像）を多面配置した画像を印刷させる。
そして、ステップＳ１５，Ｓ１６の各印刷処理により、裁断用境界線とカラーコーポレートマーク画像とを印刷した印刷物である画像位置確認用印刷物を１枚だけ出力する。
【０１０４】
その後、ステップＳ１７，Ｓ１８において、パソコン２上の操作あるいは操作パネル１０１上の操作（例えば図７のストップキー８０４又はスタートキー８０３の押下）による印刷停止指示又は印刷指示の入力の有無をチェックする。
そして、印刷停止指示が入力された場合には、ステップＳ１７からそのまま図１０の制御を終了するが、印刷指示が入力された場合には、ステップＳ１８からステップＳ１９へ進む。
【０１０５】
ステップＳ１９では、電子写真エンジン書込制御部７０１に本人情報画像の印刷指示を設定用紙サイズ情報と共に送信することにより、次の印刷処理を行わせる。電子写真エンジン書込制御部７０１は、画像処理部１０２から本人情報画像の印刷指示を設定用紙サイズ情報と共に受けると、１枚目の用紙と同じサイズの２枚目以降の用紙を給紙カセット１４又は１５から１枚だけ給紙させる。そして、画像処理部１０２から受け取った本人情報画像の画像データに基づいて、給紙させた用紙３００の裁断用境界線によって仕切られる各エリア面に電子写真エンジン部１０４ｂによって本人情報画像を印刷させる。
【０１０６】
次のステップＳ２０では、インクジェットエンジン書込制御部７０２にカラーポイント画像の印刷指示を設定用紙サイズ情報と共に送信することにより、次の印刷処理を行わせる。インクジェットエンジン書込制御部７０２は、画像処理部１０２からカラーポイント画像の印刷指示を受けると、画像処理部１０２から受け取ったカラーコーポレートマーク画像の画像データに基づいて、電子写真エンジン部１０４ｂから搬送されてくる用紙の上記各エリア面にインクジェットエンジン部２０ａによってカラーコーポレートマーク画像（カラーポイント画像）を多面配置した画像を印刷させる。
そして、ステップＳ１９，Ｓ２０の各印刷処理により、本人情報画像とカラーコーポレートマーク画像とを印刷した印刷物を１枚出力する。
【０１０７】
次のステップＳ２１では、設定した印刷部数（設定印刷部数）の印刷が完了したか否かをチェックし、設定印刷部数の印刷が完了していないと判断した場合には、ステップＳ１９の処理へ戻り、ステップＳ１９，Ｓ２０の各処理を再度行う。
また、設定印刷部数の印刷が完了したと判断した場合には、図１０の制御を終了する。
【０１０８】
次に、図１に示したパソコン２又は図２に示した操作パネル１０１上でのユーザ操作とそのユーザ操作によるパソコン２又は画像形成装置１における制御の第２例について説明する。
図１１は、そのユーザ操作と制御の第２例を示すフローチャートである。
図１２は、図１１に示す制御の続きを示すフローチャートである。
【０１０９】
オペレータは、例えば名刺を作る場合、ステップＳ３１〜Ｓ３７において、パソコン２上での操作によって必要な指示や情報等をパソコン２内の制御部に入力させる。
すなわち、図１１のステップＳ３１では、パソコン２上での操作により、カラーポイント画像位置自動チェックモード指示をパソコン２内の制御部に入力させる。このとき、図示は省略するが、カラーポイント画像位置のズレを自動的に補正するモード（以下「自動補正モード」という）の指示も必要に応じてパソコン２内の制御部に入力させる。その場合、以降の説明の便宜上、自動補正モード指示をカラーポイント画像位置自動チェックモード指示に含めるものとする。
【０１１０】
ステップＳ３２〜Ｓ３７では、図９のステップＳ３〜Ｓ７と同様の設定および入力を行わせる。
それによって、ステップＳ３８〜Ｓ５９では、パソコン２および画像形成装置１が以下に示す制御を行う。
すなわち、ステップＳ３８では、パソコン２内の制御部が、本人情報画像の画像データおよびカラーコーポレートマーク画像の画像データを設定した多面取りの原稿画像データをモノクロ電子写真式画像形成装置１０内の画像処理部１０２へ送信する。このとき、図示は省略するが、その多面取りの原稿画像データと共に、入力されたカラーポイント画像位置自動チェックモード指示、多面取りモード指示、用紙サイズ情報、および印刷部数情報も送信する。
【０１１１】
なお、前述したように、操作パネル１０１上での操作により、カラーポイント画像位置自動チェックモード指示、多面取りモード指示、用紙サイズ情報、および印刷部数情報をモノクロ電子写真式画像形成装置１０内の画像処理部１０２に入力させるようにしてもよい。
【０１１２】
モノクロ電子写真式画像形成装置１０内の画像処理部１０２は、パソコン２から送信された多面取りの原稿画像データを受信すると、図示は省略するが、その原稿画像データおよびそれと共に受信したカラーポイント画像位置自動チェックモード指示、多面取りモード指示、用紙サイズ情報、および印刷部数情報をＲＡＭ２０３に記憶する。また、ＲＡＭ２０３に記憶したカラーポイント画像位置自動チェックモード指示、多面取りモード指示、用紙サイズ情報、および印刷部数情報に基づいて、カラーポイント画像位置自動チェックモード、多面取りモード、面数情報、用紙サイズ、および印刷部数を設定する。また、カラーポイント画像位置自動チェックモード指示に自動補正モード指示が含まれている場合には、自動補正モードも設定する。
その後、ステップＳ３９〜Ｓ４３で図９のステップＳ９〜Ｓ１３と同様の処理を行う。
【０１１３】
それらの処理が終了すると、図１２のステップＳ４４へ進み、カラーポイント画像位置自動チェックモードの設定の有無をチェックする。この例では、カラーポイント画像位置自動チェックモードが設定されているため、カラーポイント画像位置自動チェックモードを設定していると判断してステップＳ４５へ進む。しかし、ステップＳ３１でカラーポイント画像位置自動チェックモードを設定しないような場合には、カラーポイント画像位置自動チェックモードを設定していないと判断して、ステップＳ５０へ進む。
【０１１４】
ステップＳ４５，Ｓ４６では、図９のステップＳ１５，Ｓ１６と同様の各印刷処理を行うことにより、裁断用境界線とカラーコーポレートマーク画像とを印刷した印刷物である画像位置自動チェック用印刷物を１枚だけ出力する。この画像位置自動チェック用印刷物は、画像位置確認用印刷物と同じ内容の印刷物である。
【０１１５】
次のステップＳ４７では、インクジェット式カラーポイント印字装置２０内のインクジェットエンジン部２０ａから出力された画像位置自動チェック用印刷物上の画像位置を画像位置検出装置３０によって検出させる。そして、その検出した裁断用境界線の画像位置とカラーコーポレートマーク画像のうちの少なくとも１つの画像位置との位置関係の寸法を、裁断用境界線の画像データの位置とカラーコーポレートマーク画像の画像データのうちの上記少なくとも１つに対応する画像データの位置とから算出した位置関係の寸法と比較して、その差によるズレ量を算出する。
【０１１６】
次のステップＳ４８では、その算出したズレ量が予め設定された所定量である許容ズレ量を超えているか否かをチェックする。
そして、上記算出したズレ量が許容ズレ量を超えていないと判断した場合（許容ズレ量以内の場合）には、ステップＳ５４へ移行する。
また、上記算出したズレ量が許容ズレ量を超えていると判断した場合には、ステップＳ４９へ進み、その旨の警告情報（カラーコーポレートマーク画像のズレ量が許容ズレ量を超えている旨を示す警告情報）をパソコン２の表示装置又は操作パネル１０１の液晶表示部８０１に表示させる。
【０１１７】
その後、ステップＳ５０，Ｓ５１において、図１０のステップＳ１７，Ｓ１８と同様に、パソコン２上の操作あるいは操作パネル１０１上の操作による印刷停止指示又は印刷指示の入力の有無をチェックする。
そして、印刷停止指示が入力された場合には、ステップＳ５０からそのまま図１２の制御を終了するが、印刷指示が入力された場合には、ステップＳ５１からステップＳ５４へ進む。
ステップＳ５１で印刷指示が入力されていなかった場合は、ステップＳ５２で自動補正モードの設定の有無をチェックする。
【０１１８】
そして、自動補正モードが設定されている場合には、ステップＳ５３へ進み、インクジェットエンジン書込制御部７０２へ送信したカラーコーポレートマーク画像の画像データのうち、位置情報（画像位置データ）を上記算出したズレ量に応じて補正させる。
ステップＳ５１で印刷指示が入力されたと判断し、ステップＳ５４へ進んだ場合には、ステップＳ５４〜Ｓ５６で図１０のステップＳ１９〜Ｓ２１と同様に補正をしないで印刷処理を行う。これは、ユーザによっては、出力された画像位置自動チェック用印刷物のカラーコーポレートマーク画像のズレ量を見て問題ないレベルと判断する場合があるためである。
【０１１９】
一方、ステップＳ５３で上記画像位置データを補正した後、ステップＳ５４へ進んだ場合には、ステップＳ５４〜Ｓ５６では、図１０のステップＳ１９〜Ｓ２１と若干異なる印刷処理を行う。つまり、ステップＳ５５の処理において、図１０のステップＳ２０と同様の印刷処理を行う際に、インクジェットエンジン部２０ａによるカラーコーポレートマーク画像の印刷位置をインクジェットエンジン書込制御部７０２に上記画像位置データに応じて補正させる処理（画像位置補正処理）を行う。
ステップＳ５２で自動補正モードが設定されていないと判断した場合には、ステップＳ５０へ戻って再度印刷停止指示又は印刷指示の入力の有無をチェックする。
なお、ステップＳ４９で警告情報の表示を行った後、印刷指示が入力されなかった場合も、そのまま図１２の制御を終了するようにしてもよい。
【０１２０】
次に、図１に示したパソコン２又は図２に示した操作パネル１０１上でのユーザ操作とそのユーザ操作によるパソコン２又は画像形成装置１における制御の第３例について説明する。
図１３は、そのユーザ操作と制御の第３例を示すフローチャートである。この図１３に示す制御の続きは、図１０に示したものと同様である。
【０１２１】
オペレータは、例えば名刺を作る場合、図１３のステップＳ６１〜Ｓ６６において、パソコン２上での操作によって必要な指示や情報等をパソコン２内の制御部に入力させる。
すなわち、図１３のステップＳ６１，Ｓ６２では、パソコン２上での操作により、カラーポイント画像位置確認モード指示と多面取りモード指示（例えば「８面」を示す面数情報を含む）とをパソコン２内の制御部に入力させる。
【０１２２】
ステップＳ６３，Ｓ６４では、パソコン２上での操作により、生成した名刺の基本画像データである１エリア面分の原稿画像データに本人情報画像の画像データおよびカラーコーポレートマーク画像の画像データを設定する処理をパソコン２内の制御部に行わせる。
次のステップＳ６５，Ｓ６６では、パソコン２上での操作により、用紙サイズ情報をパソコン２内の制御部に入力させた後、原稿画像データの送信指示をパソコン２内の制御部に入力させる。
【０１２３】
ステップＳ６７では、パソコン２内の制御部が、本人情報画像の画像データおよびカラーコーポレートマーク画像の画像データを設定した１エリア面分の原稿画像データをモノクロ電子写真式画像形成装置１０内の画像処理部１０２へ送信する。このとき、図示は省略するが、その１エリア面分の原稿画像データと共に、入力されたカラーポイント画像位置確認モード指示および多面取りモード指示も送信する。
なお、操作パネル１０１上での操作により、カラーポイント画像位置確認モード指示、多面取りモード指示、および用紙サイズ情報をモノクロ電子写真式画像形成装置１０内の画像処理部１０２に入力させるようにしてもよい。
【０１２４】
モノクロ電子写真式画像形成装置１０内の画像処理部１０２は、パソコン２から送信された１エリア面分の原稿画像データを受信すると、図示は省略するが、その原稿画像データおよびそれと共に受信したカラーポイント画像位置確認モード指示、多面取りモード指示（この例では「８面」を示す面数情報を含む）、および用紙サイズ情報をＲＡＭ２０３に記憶する。また、ＲＡＭ２０３に記憶したカラーポイント画像位置確認モード指示、多面取りモード指示、および用紙サイズ情報に基づいて、カラーポイント画像位置確認モード、多面取りモード、面数情報、および用紙サイズ情報を設定する。
【０１２５】
次いで、ステップＳ６８において、設定した面数情報および用紙サイズ情報に基づいてＲＡＭ２０３に記憶した１エリア面分の原稿画像データの縮小８分割を行う。つまり、その原稿画像データによる画像が設定用紙サイズの１枚の用紙の８分割した各エリア面に多面配置されるように、その原稿画像データを１／８の大きさに縮小したものを８つ生成する。
その後、ステップＳ６９〜Ｓ７１で図９のステップＳ９〜Ｓ１１と同様の処理を行う。
【０１２６】
次のステップＳ７２では、操作パネル１０１上での操作により、印刷部数情報をモノクロ電子写真式画像形成装置１０内の画像処理部１０２に入力させる。
次のステップＳ７３では、操作パネル１０１上での操作（例えば図７のスタートキー８０３）により、印刷指示をモノクロ電子写真式画像形成装置１０内の画像処理部１０２に入力させる。
それによって、ステップＳ７４，ステップＳ７５では、モノクロ電子写真式画像形成装置１０内の画像処理部１０２が、図９のステップＳ１２，Ｓ１３と同様の処理を行った後、図１０のステップＳ１４〜Ｓ２１と同様の処理を行う。
【０１２７】
次に、図１に示したパソコン２又は図２に示した操作パネル１０１上でのユーザ操作とそのユーザ操作によるパソコン２又は画像形成装置１における制御の第４例について説明する。
図１４は、そのユーザ操作と制御の第４例を示すフローチャートである。この図１４に示す制御の続きは、図１２に示したものと同様である。
【０１２８】
オペレータは、例えば名刺を作る場合、ステップＳ８１〜Ｓ８６において、パソコン２上での操作によって必要な指示や情報等をパソコン２内の制御部に入力させる。
すなわち、図１４のステップＳ８１では、パソコン２上での操作により、図１１のステップＳ３１と同様にカラーポイント画像位置自動チェックモード指示（必要に応じて自動補正モード指示を含める）をパソコン２内の制御部に入力させる。
ステップＳ８２〜Ｓ８６では、図１３のステップＳ６２〜Ｓ６６と同様の入力および設定を行わせる。
【０１２９】
ステップＳ６７では、パソコン２内の制御部が、本人情報画像の画像データおよびカラーコーポレートマーク画像の画像データを設定した１エリア面分の原稿画像データをモノクロ電子写真式画像形成装置１０内の画像処理部１０２へ送信する。このとき、図示は省略するが、その１エリア面分の原稿画像データと共に、入力されたカラーポイント画像位置自動チェックモード指示および多面取りモード指示も送信する。
なお、操作パネル１０１上での操作により、カラーポイント画像位置自動チェックモード指示、多面取りモード指示、および用紙サイズ情報をモノクロ電子写真式画像形成装置１０内の画像処理部１０２に入力させるようにしてもよい。
【０１３０】
モノクロ電子写真式画像形成装置１０内の画像処理部１０２は、パソコン２から送信された１エリア面分の原稿画像データを受信すると、図示は省略するが、その原稿画像データおよびそれと共に受信したカラーポイント画像位置自動チェックモード指示、多面取りモード指示（この例では「８面」を示す面数情報を含む）、および用紙サイズ情報をＲＡＭ２０３に記憶する。また、ＲＡＭ２０３に記憶したカラーポイント画像位置自動チェックモード指示、多面取りモード指示、および用紙サイズ情報に基づいて、カラーポイント画像位置自動チェックモード、多面取りモード、面数情報、および用紙サイズ情報を設定する。また、カラーポイント画像位置自動チェックモード指示に自動補正モード指示が含まれている場合には、自動補正モードも設定する。
その後、ステップＳ８８〜Ｓ９５で図１３のステップＳ６８〜Ｓ７５と同様の処理を行った後、図１２のステップＳ４４〜Ｓ５６と同様の処理を行う。
【０１３１】
このように、この実施形態の画像形成装置によれば、以下の（ａ）〜（ｄ）に示す作用効果を得ることができる。
（ａ）１枚の用紙に単色画像とカラーポイント画像とからなる同一画像を多面配置して画像形成する多面取りモードの指示と、その多面取りの面数情報とが入力されると、画像形成に使用する用紙のサイズ情報と面数情報とから多面取り画像の裁断用境界線の画像データを自動生成する。
【０１３２】
また、多面取りモードの指示と面数情報と共にカラーポイント画像位置確認モードの指示が入力されると、生成した裁断用境界線の画像データとカラーポイント画像の画像データとに基づいて、サイズ情報のサイズの用紙にモノクロ電子写真式画像形成装置１０によって裁断用境界線を、インクジェット式カラーポイント印字装置２０によってカラーポイント画像をそれぞれ画像形成させた画像位置確認用印刷物を１枚だけ出力する。
【０１３３】
その後、画像形成の指示が入力されると、上記用紙と同じサイズの２枚目以降の用紙の裁断用境界線によって仕切られる各領域に、単色画像とカラーポイント画像とからなる同一画像のデータに基づいて、モノクロ電子写真式画像形成装置１０によって単色画像のみを、インクジェット式カラーポイント印字装置２０によってカラーポイント画像を、それぞれ多面配置した画像を形成させて出力する。
【０１３４】
したがって、多面取りモードによる画像（多面取り集約画像）の印刷を行う場合で、且つカラーポイント画像を印刷するインクジェット式カラーポイント印字装置２０を使用するために画像位置の信頼性が低い場合であっても、それぞれの多面配置（分割配置）されたカラーポイント画像が裁断用境界線（分割枠線）に対して正しい位置に印刷されているかどうかが判り難いということがなくなる。
【０１３５】
また、１枚目の印刷物に多面配置された画像の断裁時の切断枠線が記載されてカラーポイント画像の位置ズレが把握し易くなる。
さらに、２枚目以降の実際の印刷物には裁断用境界線はプリントされないので、断裁位置ズレによって名刺の端部に裁断用境界線が残ってしまうという問題も発生しない。
よって、最適な画像を得ることができる。
【０１３６】
（ｂ）（ａ）と同様に、多面取り画像の裁断用境界線の画像データを自動生成する。
また、多面取りモードの指示と面数情報と共にカラーポイント画像位置自動チェックモードの指示が入力されると、生成した裁断用境界線の画像データとカラーポイント画像のデータとに基づいて、サイズ情報のサイズの用紙にモノクロ電子写真式画像形成装置１０によって裁断用境界線を、インクジェット式カラーポイント印字装置２０によってカラーポイント画像をそれぞれ画像形成させた画像位置自動チェック用印刷物を１枚だけ出力する。
【０１３７】
その後、画像位置検出装置３０によって検出した裁断用境界線の画像位置とカラーポイント画像のうちの少なくとも１つの画像位置との位置関係の寸法を、裁断用境界線の画像データの位置とカラーポイント画像の画像データのうちの上記少なくとも１つに対応する画像データの位置とから算出した位置関係の寸法と比較して、その差によるズレ量を算出する。
【０１３８】
そして、その算出したズレ量が予め設定された所定量以内の場合には、上記用紙と同じサイズの２枚目以降の用紙の裁断用境界線によって仕切られる各領域に、単色画像とカラーポイント画像とからなる同一画像のデータに基づいて、モノクロ電子写真式画像形成装置１０によって単色画像のみを、インクジェット式カラーポイント印字装置２０によってカラーポイント画像を、それぞれ多面配置した画像を形成させて出力する。
上記ズレ量が上記所定量を超える（つまりカラーポイント画像のズレ量が所定量を超える）場合には、警告を発する。
【０１３９】
したがって、多面取りモードによる画像（多面取り集約画像）の印刷を行う場合で、カラーポイント画像を印刷するインクジェット式カラーポイント印字装置２０を使用するために画像位置の信頼性が低い場合であっても、それぞれの多面配置されたカラーポイント画像が裁断用境界線（分割枠線）に対して正しい位置に印刷されているかどうかを目視確認する必要がなくなる。また、カラーポイント画像のズレ量が所定量を超えている場合には、その旨の警告を発してくれるので、安心である。
よって、最適な画像を得ることができる。
【０１４０】
（ｃ）（ｂ）の警告後に、画像形成の指示が入力された場合にも、上記用紙と同じサイズの２枚目以降の用紙の裁断用境界線によって仕切られる各領域に、単色画像とカラーポイント画像とからなる同一画像のデータに基づいて、モノクロ電子写真式画像形成装置１０によって単色画像のみを、インクジェット式カラーポイント印字装置２０によってカラーポイント画像を、それぞれ多面配置した画像を形成させて出力する。
それによって、ユーザは、上記警告後でも、出力された画像位置自動チェック用印刷物のカラーポイント画像のズレ量が問題ないレベルと判断すれば、多面取りモードによる画像の印刷を中止させずに済むので、作業効率の向上につながる。
【０１４１】
（ｄ）（ｂ）と同様に、多面取り画像の裁断用境界線の画像データを自動生成し、画像位置自動チェック用印刷物を１枚だけ出力すると共に、上記ズレ量を算出する。
そして、その算出したズレ量が予め設定された所定量以内の場合にはそのまま、そのズレ量が上記所定量を超えた場合にはインクジェット式カラーポイント印字装置２０によるカラーポイント画像の形成位置を上記ズレ量に応じて補正して、（ｂ）の用紙と同じサイズの２枚目以降の用紙の裁断用境界線によって仕切られる各領域に、単色画像とカラーポイント画像とからなる同一画像のデータに基づいて、モノクロ電子写真式画像形成装置１０によって単色画像のみを、インクジェット式カラーポイント印字装置２０によってカラーポイント画像を、それぞれ多面配置した画像を形成させて出力する。
【０１４２】
したがって、次のような効果を得ることができる。
画像位置自動チェック用印刷物を目視確認して画像位置の調整をすることは、狙いの位置がよく判っていないと面倒で難しく、画像を移動させる方向を間違い易かったり、移動量の数値入力のためには計測が必要であるため面倒で、移動量数値入力を間違い易いといった問題がある。
【０１４３】
しかし、これらの課題発生を回避して、多面取りモードによる画像の印刷を行う場合には、１枚の用紙にいくつものカラーポイント画像があるので、上述したようにカラーポイント画像の形成位置を上記ズレ量に応じて補正できるので、面倒な調整作業が不要で、正しい位置関係でカラーポイント画像を形成することが可能になる。
よって、最適な画像を得ることができる。
【０１４４】
なお、この発明は上述した実施形態に限定されるものではなく、適宜他の機能を追加したり、一部の機能を省略したりすることができる。また、上述した各実施例を矛盾しない範囲で適宜組み合わせて実施しても良い。
【符号の説明】
【０１４５】
１：画像形成装置    ２：パソコン    ３：ネットワーク
１０：モノクロ電子写真式画像形成装置    １１：光書込部    １２：作像部
１３：定着部    １４，１５：給紙トレイ    １６：給紙ローラ
１７：レジストローラ対    ２０：インクジェット式カラーポイント印字装置
２０ａ：インクジェットエンジン部    ２１：インクジェット記録ヘッド
２２：搬送ベルト    ３０：画像位置検出装置    ３１：イメージセンサ
１０１：操作パネル    １０２：画像処理部    １０３：周辺機Ｉ／Ｆ
１０４：エンジン部    １０４ａ：スキャナ部    １０４ｂ：電子写真エンジン部
２０１：ＣＰＵ    ２０２：ＡＳＩＣ    ２０３：ＲＡＭ    ２０４：ＲＯＭ
２０５：ネットワークＩ／Ｆ    ２０６：ＨＤＤ    ３００：用紙
３０１：本人情報画像    ３０２：カラーコーポレートマーク画像
３０２′：３０２の画像データ    ３０３：印刷物    ３０５：画像位置確認用印刷物
４０１：裁断用境界線    ４０１′：４０１の画像データ
７０１：電子写真エンジン書込制御部    ７０２：インクジェットエンジン書込制御部
８０１：液晶表示部    ８０２：テンキー    ８０３：スタートキー
８０４：ストップキー    ８０５：選択キー    ８０６：決定キー
【先行技術文献】
【特許文献】
【０１４６】
【特許文献１】特開２００１−２７７６３４号公報
【特許文献２】特開２００６−７６２５６号公報
【特許文献３】特開２００６−７６０４３号公報
【特許文献４】特開２００６−７６０２２号公報
【図１】
0005906847.tif 000002
【図２】
0005906847.tif 000003
【図３】
0005906847.tif 000004
【図４】
0005906847.tif 000005
【図５】
0005906847.tif 000006
【図６】
0005906847.tif 000007
【図７】
0005906847.tif 000008
【図８】
0005906847.tif 000009
【図９】
0005906847.tif 000010
【図１０】
0005906847.tif 000011
【図１１】
0005906847.tif 000012
【図１２】
0005906847.tif 000013
【図１３】
0005906847.tif 000014
【図１４】
0005906847.tif 000015